(57)【要約】【課題】適切に機能を切り替えることが可能な無線通信装置、および、適切に接続先を切り替えることが可能な端末装置を提供する。【解決手段】実施形態によれば、基地局および端末の間で機能を切り替えることが可能な無線通信装置が提供される。この無線通信装置は、当該無線通信装置の機能が基地局であり、端末装置が接続されているときに、前記端末装置が予め定めた基地局を見つけたことに応じて、当該無線通信装置の機能を、前記予め定めた基地局に接続される端末に切り替えるとともに、前記端末装置の接続先を前記予め定めた基地局に切り替えさせる接続制御部を備える。【選択図】図１
2015177268.tif 000002
【特許請求の範囲】
【請求項１】
基地局および端末の間で機能を切り替えることが可能な無線通信装置であって、
当該無線通信装置の機能が基地局であり、端末装置が接続されているときに、前記端末装置が予め定めた基地局を見つけたことに応じて、
当該無線通信装置の機能を、前記予め定めた基地局に接続される端末に切り替えるとともに、
前記端末装置の接続先を前記予め定めた基地局に切り替えさせる
接続制御部を備えることを特徴とする無線通信装置。
【請求項２】
前記端末装置が前記予め定めた基地局を見つけたことを示す報告を受けるスキャン制御部を備えることを特徴とする請求項１に記載の無線通信装置。
【請求項３】
当該無線通信装置の機能が前記予め定めた基地局に接続される端末であるときに、前記予め定めた基地局との間の通信状況を取得するスキャン制御部を備え、
前記接続制御部は、前記予め定めた基地局と接続できなくなったことに応じて、
当該無線通信装置の機能を基地局に切り替えるとともに、
前記端末装置との接続処理を行う、
ことを特徴とする請求項１に記載の無線通信装置。
【請求項４】
接続先を、予め定めた基地局と、基地局および端末の間で機能を切り替えることが可能な無線通信装置と、の間で切り替えることが可能な端末装置であって、
接続先が前記無線通信装置であるときに、前記予め定めた基地局をスキャンするスキャン制御部と、
前記予め定めた基地局が見つかったことに応じて、
前記無線通信装置に対して、機能を前記予め定めた基地局に接続される端末に切り替えるよう要求するとともに、
接続先を前記予め定めた基地局に切り替える
接続制御部と、を備えることを特徴とする端末装置。
【請求項５】
前記スキャン制御部は、接続先が前記予め定めた基地局であるときに、前記予め定めた基地局との通信状況を取得し、
前記接続制御部は、前記予め定めた基地局と接続できなくなったことに応じて、
前記無線通信装置に対して、機能を基地局に切り替えることに合意するとともに、
前記予め定めた基地局との接続を切断し、接続先を前記無線通信装置に切り替える
ことを特徴とする請求項４に記載の端末装置。
【請求項６】
基地局および端末の間で機能を切り替えることが可能な無線通信装置であって、
当該無線通信装置の機能が予め定めた基地局に接続される端末であるときに、前記予め定めた基地局との間の通信状況を取得するスキャン制御部と、
前記予め定めた基地局と接続できなくなったことに応じて、
当該無線通信装置の機能を基地局に切り替えるとともに、
端末装置との接続処理を行う
接続制御部と、を備えることを特徴とする無線通信装置。
【請求項７】
接続先を、予め定めた基地局と、基地局および端末の間で機能を切り替えることが可能な無線通信装置と、の間で切り替えることが可能な端末装置であって、
接続先が前記予め定めた基地局であるときに、前記予め定めた基地局との通信状況を取得するスキャン制御部と、
前記予め定めた基地局と接続できなくなったことに応じて、
前記無線通信装置に対して、機能を基地局に切り替えることに合意するとともに、
前記予め定めた基地局との接続を切断し、接続先を前記無線通信装置に切り替える
接続制御部と、を備えることを特徴とする無線通信装置。
【請求項８】
基地局および端末の間で機能を切り替えることが可能な無線通信装置であって、
当該無線通信装置の機能が基地局であり、端末装置が接続されているときに、前記端末装置から所定条件に基づくスキャン結果の報告を受けたことに応じて、当該無線通信装置の機能を端末に切り替える接続制御部を備えることを特徴とする無線通信装置。
【請求項９】
接続先を、予め定めた基地局と、基地局および端末の間で機能を切り替えることが可能な無線通信装置と、の間で切り替えることが可能な端末装置であって、
接続先が前記無線通信装置であるときに、所定条件に基づくスキャンを行って、そのスキャン結果を前記無線通信装置に報告するスキャン制御部を備えることを特徴とする端末装置。
【発明の詳細な説明】
【技術分野】
【０００１】
本発明の実施形態は、無線通信装置および端末装置に関する。
【背景技術】
【０００２】
近年、無線通信装置の接続形態が多様化してきている。例えば、ノートＰＣやタブレット端末などの無線ＬＡＮ端末は、接続先の無線ＬＡＮ基地局を切り替えることができる。また、無線ＬＡＮ装置で、無線ＬＡＮ基地局と無線ＬＡＮ端末に切り替える技術も知られており、例えばデジタルカメラへの適用などが考えられる。
【０００３】
しかしながら、タブレット端末の接続先やデジタルカメラの機能を、状況に応じて個々に手動で切り替えるのは、ユーザにとって大変な手間である。また、タブレット端末とデジタルカメラが自動的に接続先や機能を切り替えるとしても、個別に行うと、接続性が失われるなど、ユーザにとってかえって不便な状況になることがある。
【先行技術文献】
【特許文献】
【０００４】
【特許文献１】特開２００８−１８７３４８号公報
【特許文献２】特開２００８−６０７１１号公報
【発明の概要】
【発明が解決しようとする課題】
【０００５】
適切に機能を切り替えることが可能な無線通信装置、および、適切に接続先を切り替えることが可能な端末装置を提供する。
【課題を解決するための手段】
【０００６】
実施形態によれば、基地局および端末の間で機能を切り替えることが可能な無線通信装置が提供される。この無線通信装置は、当該無線通信装置の機能が基地局であり、端末装置が接続されているときに、前記端末装置が予め定めた基地局を見つけたことに応じて、当該無線通信装置の機能を、前記予め定めた基地局に接続される端末に切り替えるとともに、前記端末装置の接続先を前記予め定めた基地局に切り替えさせる接続制御部を備える。
【図面の簡単な説明】
【０００７】
【図１】一実施形態に係る無線通信システムの概略を説明する図。
【図２】一実施形態に係る無線通信装置１００ａの概略構成を示すブロック図。
【図３】一実施形態に係る端末装置１００ｂの概略構成を示すブロック図。
【図４】無線通信装置１００ａおよび端末装置１００ｂの処理動作の一例を示すシーケンス図。
【図５】無線通信装置１００ａおよび端末装置１００ｂの処理動作の別の例を示すシーケンス図。
【発明を実施するための形態】
【０００８】
以下、実施形態について、図面を参照しながら具体的に説明する。
【０００９】
図１は、一実施形態に係る無線通信システムの概略を説明する図である。本実施形態では、無線通信装置１００ａと端末装置１００ｂとが比較的近接して用いられることを念頭に置いている。
【００１０】
無線通信装置１００ａは、例えば無線ＬＡＮ機能を有するデジタルカメラである。無線通信装置１００ａは、その機能を基地局と端末との間で切り替えることができる。すなわち、無線通信装置１００ａは、予め定めた無線ＬＡＮ基地局２００に接続可能な場合、無線ＬＡＮ基地局２００を接続先とする端末として機能する（図１（ａ））。一方、無線通信装置１００ａは、無線ＬＡＮ基地局２００に接続できない場合、基地局として機能する（図１（ｂ））。
【００１１】
一方、端末装置１００ｂは、例えばタブレット端末である。端末装置１００ｂも無線通信装置ではあるが、基地局として機能することはなく専ら端末として機能する。端末装置１００ｂは、予め定めた無線ＬＡＮ基地局２００と、無線通信装置１００ａとの間で、接続先を切り替えることができる。すなわち、端末装置１００ｂは、無線ＬＡＮ基地局２００に接続可能な場合、これを接続先とする（図１（ａ））。一方、端末装置１００ｂは、無線ＬＡＮ基地局２００に接続できない場合、基地局として機能する無線通信装置１００ａを接続先とする（図１（ｂ））。
【００１２】
なお、予め定めた無線ＬＡＮ基地局２００は、例えば自宅内に設けられた無線ＬＡＮ基地局である。また、無線通信装置１００ａおよび端末装置１００ｂは、無線ＬＡＮ基地局２００以外の無線ＬＡＮ基地局には接続しない。
【００１３】
一例として、無線通信装置１００ａおよび端末装置１００ｂは、ＩＥＥＥ０２．１１の規格に準拠する無線ＬＡＮ通信装置であり、これに本実施形態の内容を適用することを、ここでは想定する。
【００１４】
本実施形態は、無線通信装置１００ａおよび端末装置１００ｂが連携することにより、無線通信装置１００ａの機能および端末装置１００ｂの接続先を適切に切り替えるものである。
【００１５】
図２は、一実施形態に係る無線通信装置１００ａの概略構成を示すブロック図である。無線通信装置１００ａは、アンテナ１ａと、物理層２ａと、ＭＡＣ・リンク層３ａと、ＴＣＰ／ＩＰ層４ａと、アプリケーション層５ａとを備えている。  アンテナ１ａは、データ送信時には、無線周波数のアナログ信号を電波に変換する。また、アンテナ１ａは、データ受信時には、電波を無線周波数のアナログ信号に変換する。
【００１６】
物理層２ａは所定規格に準拠した物理層の機能を実現するものであり、無線処理部２１ａと、ベースバンド部２２ａとを有する。無線処理部２１ａは無線周波数の電気信号に対して増幅や無線周波数とベースバンド周波数との間の周波数変換などの処理を行う。ベースバンド部２２ａは、データ送信時には、送信すべき信号を変調した上で、これをアナログ信号に変換して無線処理部２１ａに供給する。また、ベースバンド部２２ａは、データ受信時には、無線処理部２１ａからのアナログ信号をデジタル信号に変換し、これを復調する。
【００１７】
ＭＡＣ・リンク層３ａは所定規格に準拠したメディアアクセス・リンク層の機能を実現する。また本実施形態の特徴の１つとして、ＭＡＣ・リンク層３ａは、スキャン制御部３１ａと、接続制御部３２ａとを有する。
【００１８】
スキャン制御部３１ａは、ＩＥＥＥ８０２．１１で規定された通常のスキャン機能に加えて、無線通信装置１００ａが端末として機能しているときには、接続中の無線ＬＡＮ基地局２００との通信状況を取得し、自局が無線ＬＡＮ基地局２００と接続できるか否かを端末装置１００ｂに報告するようにしてもよい。また、端末装置１００ｂが無線ＬＡＮ基地局２００と接続できるか否かの報告を端末装置１００ｂから受ける。
【００１９】
また、スキャン制御部３１ａは、無線通信装置１００ａが基地局として機能しているときには、自らは無線ＬＡＮ基地局２００のスキャンを行わず、端末装置１００ｂが無線ＬＡＮ基地局２００を見つけたか否かの報告を端末装置１００ｂから受ける。
【００２０】
ＩＥＥＥ８０２．１１規格では、無線ＬＡＮ基地局（ここでは基地局として機能しているときの無線通信装置１００ａ）は同一チャネルで連続的に動作することが想定されている。そのため、無線ＬＡＮ基地局２００がこれと異なるチャネルで動作している場合には、無線通信装置１００ａが無線ＬＡＮ基地局２００を発見できないので、上記のように、端末装置１００ｂからスキャン結果の報告を受けるようにする。
【００２１】
接続制御部３２ａは無線通信装置１００ａおよび端末装置１００ｂのネットワーク接続構成を協調的に制御する。
【００２２】
より具体的には、無線通信装置１００ａが端末として機能しているときに、無線ＬＡＮ基地局２００と接続できなくなると、接続制御部３２ａは無線通信装置１００ａの機能を端末から基地局に切り替える。なお、「接続できない」とは、通信状況が悪くなることも含むものとする。さらに、接続制御部３２ａは端末装置１００ｂとの接続処理を行って、端末装置１００ｂからの接続を受ける。
【００２３】
一方、無線通信装置１００ａが基地局として機能しているときに、端末装置１００ｂが無線ＬＡＮ基地局２００を見つけると、接続制御部３２ａは無線通信装置１００ａの機能を基地局から端末に切り替える。
【００２４】
この切替に伴って、無線通信装置１００ａは基地局であることを示すビーコンの定期的な送信を停止するため、端末装置１００ｂから無線通信装置１００ａは基地局としては見えなくなる。よって、端末装置１００ｂは別の基地局を探索し、無線ＬＡＮ基地局２００が見つかれば、それに接続する。
【００２５】
ＴＣＰ／ＩＰ層４ａは、一般的なＴＣＰ／ＩＰと、これに付随するＡＲＰ（Address Resolution Protocol）やＤＮＳ（Domain Name System）などを含む種々の機能を実現する。
【００２６】
アプリケーション層５ａはユーザに対する様々なサービスを実現する複数のアプリケーション（ＡＰＰ１，ＡＰＰ２・・・）を含む。
【００２７】
図３は、一実施形態に係る端末装置１００ｂの概略構成を示すブロック図である。無線通信装置１００ａと共通する部分の説明は省略し、相違点を中心に説明する。
【００２８】
端末装置１００ｂのＭＡＣ・リンク層３ｂにおけるスキャン制御部３１ｂは、ＩＥＥＥ８０２．１１で規定された通常のスキャン機能に加えて、接続先が無線ＬＡＮ基地局２００である場合、無線ＬＡＮ基地局２００との通信状況を取得し、無線ＬＡＮ基地局２００と接続できるか否かの情報を無線通信装置１００ａに報告するようにしてもよい。また、無線通信装置１００ａが無線ＬＡＮ基地局２００と接続できるか否かの報告を無線通信装置１００ａのスキャン制御部３１ａから受ける。
【００２９】
また、スキャン制御部３１ｂは、接続先が基地局として機能する無線通信装置１００ａである場合、無線ＬＡＮ基地局２００をスキャンする。そして、無線ＬＡＮ基地局２００が見つかったか否かを無線通信装置１００ａに報告する。
【００３０】
接続制御部３２ｂは無線通信装置１００ａおよび端末装置１００ｂのネットワーク接続構成を協調的に制御する。
【００３１】
より具体的には、接続制御部３２ｂは、無線ＬＡＮ基地局２００と接続しているときにこれと接続できなくなると、無線通信装置１００ａが基地局として機能することに合意するとともに、無線ＬＡＮ基地局２００との接続を切断して、接続先を無線通信装置１００ａに切り替える。
【００３２】
一方、接続制御部３２ｂは、無線通信装置１００ａと接続しているときに無線ＬＡＮ基地局２００が見つかると、接続先を無線ＬＡＮ基地局２００に切り替える。このとき、無線通信装置１００に端末として機能するよう要求するようにしてもよい。
【００３３】
図４は、無線通信装置１００ａおよび端末装置１００ｂの処理動作の一例を示すシーケンス図である。同図は、無線通信装置１００ａおよび端末装置１００ｂを持ち運ぶユーザが、外出先から無線ＬＡＮ基地局２００がある自宅に戻る場面を想定している。
【００３４】
図４において、初めはユーザが外出先におり、無線通信装置１００ａおよび端末装置１００ｂは無線ＬＡＮ基地局２００と接続できない。よって、無線通信装置１００ａは基地局として機能しており、端末装置１００ｂは無線通信装置１００ａを接続先としている。
【００３５】
次いで、ユーザが自宅に戻ると、無線通信装置１００ａおよび端末装置１００ｂが無線ＬＡＮ基地局２００と接続できるようになる。よって、無線通信装置１００ａの機能が無線ＬＡＮ基地局２００を接続先とする端末に切り替わり、端末装置１００ｂの接続先が無線ＬＡＮ基地局２００に切り替わる。以下、詳細に説明する。
【００３６】
予め、無線通信装置１００ａおよび端末装置１００ｂはスキャン条件を交換する（ステップＳ１）。より具体的には、無線通信装置１００ａのスキャン制御部３１ａおよび端末装置１００ｂのスキャン制御部３１ｂは、以下のことをスキャン条件として合意しておく。
【００３７】
・無線通信装置１００ａおよび端末装置１００ｂの接続先候補は、予め定めた無線ＬＡＮ基地局２００であり、これが見つかるとネットワーク接続構成変更の契機とする。
【００３８】
・無線ＬＡＮ基地局２００とは異なる無線ＬＡＮ基地局は無線通信装置１００ａおよび端末装置１００ｂの接続先候補ではなく、見つかったとしてもネットワーク接続構成変更の契機とはしない。
【００３９】
・端末装置１００ｂが所定間隔で定期的に無線ＬＡＮ基地局２００のスキャンを行い、無線ＬＡＮ基地局２００が見つかったか否かを無線通信装置１００ａに報告する。見つかった場合だけ端末装置１００ｂが無線通信装置１００ａに報告するようにしてもよい。
【００４０】
具体的には、交換されたスキャン条件に基づいて、端末装置１００ｂのスキャン制御部３１ｂは無線ＬＡＮ基地局２００のスキャンを行う（ステップＳ２）。そして、スキャン制御部３１ｂは、スキャン結果として、無線ＬＡＮ基地局２００を見つかったか否かを無線通信装置１００ａに報告する（ステップ３）。スキャン制御部３１ｂは、無線ＬＡＮ基地局２００が見つかった場合には、無線ＬＡＮ基地局２００が使用しているチャネルを報告してもよい。
【００４１】
無線ＬＡＮ基地局２００が見つからない場合（ステップＳ４のＮＯ）、スキャン制御部３１ｂは定期的にスキャンを繰り返す。
【００４２】
無線ＬＡＮ基地局２００が見つかると（ステップＳ４のＹＥＳ）、無線通信装置１００ａの機能を基地局から端末に切り替えるべく、接続制御部３２ｂは無線通信装置１００ａにネットワーク接続構成の変更を要求するようにしてもよい（ステップＳ５）。ネットワーク接続の変更とは、具体的には、無線通信装置１００ａの機能を基地局から端末に切り替えることである。なお、無線ＬＡＮ基地局２００が見つかったことを無線通信装置１００ａが知った場合、無線通信装置１００ａが自ら基地局から端末に切り替えるように、無線通信装置１００ａを設定しておけば、無線通信装置１００ａにネットワーク接続構成の変更を要求する必要はない。
【００４３】
無線通信装置１００ａの機能を端末に切り替えるためには、端末装置１００ｂだけでなく、無線通信装置１００ａ自身が無線ＬＡＮ基地局２００と実際に接続できることを確認する必要がある。ここで、無線通信装置１００ａは、端末装置１００ｂとの通信を継続しながら、無線ＬＡＮ基地局２００との通信状況を確認する必要がある。そこで、無線通信装置１００ａの接続制御部３２ａは、端末装置１００ｂに対して、無線ＬＡＮ基地局２００と同じチャネルに変更するよう要求する（ステップＳ６）。これに応じて、端末装置１００ｂの接続制御部３２ｂはチャネルを変更する（ステップＳ７）。上出のように、無線通信装置１００ａは、端末装置１００ｂからの報告（ステップＳ３）に基づいて、無線ＬＡＮ基地局２００の存在だけでなく無線ＬＡＮ基地局２００の使用しているチャネルを知っている。
【００４４】
そして、無線通信装置１００ａの接続制御部３２ａは、無線ＬＡＮ基地局２００のチャネルをスキャンし、無線ＬＡＮ基地局２００と実際に通信できることを確認する（ステップＳ８）。  無線通信装置１００ａの接続制御部３２ａが無線ＬＡＮ基地局２００と通信できることを確認できると、無線通信装置１００ａの接続制御部３２ａは端末装置１００ｂにネットワーク接続構成の変更を許可する（ステップＳ９）。ネットワーク接続構成の変更とは、具体的には、端末装置１００ｂの接続先を無線通信装置１００ａから無線ＬＡＮ基地局２００に切り替えることである。
【００４５】
以上により、端末装置１００ｂの接続制御部３２ｂは接続先を無線通信装置１００ａから無線ＬＡＮ基地局２００に切り替える（ステップＳ１１）。また、無線通信装置１００ａの接続制御部３２ａは、無線通信装置１００ａの機能を無線ＬＡＮ基地局２００を接続先とする端末に切り替える（ステップＳ１０）。
【００４６】
なお、無線通信装置１００ａの接続制御部３２ａによる端末装置１００ｂへのネットワーク接続構成の変更許可（ステップＳ９）は暗黙的なものであっても構わず、その場合には明示的なメッセージのやりとりは行われない。すなわち、端末装置１００ｂの接続制御部３２ｂが接続先を無線通信装置１００ａから無線ＬＡＮ基地局２００に切り替える場合（ステップＳ１０)、端末装置１００ｂは接続していた基地局としての無線通信装置１００ａからの定期的なビーコンを受信できなくなる。そのため、端末装置１００ｂは接続すべき他の基地局を探す状態となり、無線端末１００ｂは自ら無線ＬＡＮ基地局２００を選択して接続する。
【００４７】
図５は、無線通信装置１００ａおよび端末装置１００ｂの処理動作の別の例を示すシーケンス図である。図４とは逆に、図５は、無線通信装置１００ａおよび端末装置１００ｂを持ち運ぶユーザが、無線ＬＡＮ基地局２００がある自宅から外出する場面を想定している。
【００４８】
図５において、初めはユーザが自宅におり、無線通信装置１００ａおよび端末装置１００ｂは無線ＬＡＮ基地局２００と接続できる。よって、無線通信装置１００ａは無線ＬＡＮ基地局２００を接続先とする端末として機能している。また、端末装置１００ｂは無線ＬＡＮ基地局２００を接続先としている。
【００４９】
次いで、ユーザが外出すると、無線通信装置１００ａおよび端末装置１００ｂが無線ＬＡＮ基地局２００と接続できなくなる。よって、無線通信装置１００ａの機能が端末から基地局に切り替わり、端末装置１００ｂの接続先が無線通信装置１００ａに切り替わる。以下、詳細に説明する。
【００５０】
予め、無線通信装置１００ａおよび端末装置１００ｂはスキャン条件を交換する（ステップＳ２１）。より具体的には、無線通信装置１００ａのスキャン制御部３１ａおよび端末装置１００ｂのスキャン制御部３１ｂは、以下のことをスキャン条件として合意しておく。
【００５１】
・無線通信装置１００ａおよび端末装置１００ｂの接続先は予め定めた無線ＬＡＮ基地局２００であり、これと接続できなくなるとネットワーク接続構成変更の契機とする。
【００５２】
・端末として機能している無線通信装置１００ａおよび端末装置１００ｂがともに所定間隔で定期的に無線ＬＡＮ基地局２００との通信状況を取得する。そして、互いに認識を合わせるため、無線ＬＡＮ基地局２００と接続できるか否かを互いに報告する。接続できた場合にだけ無線通信装置１００ａおよび／または端末装置１００ｂが報告するようにしてもよい。
【００５３】
具体的には、交換されたスキャン条件に基づいて、無線通信装置１００ａのスキャン制御部３１ａおよび端末装置１００ｂのスキャン制御部３１ｂは、無線ＬＡＮ基地局２００との通信状況を取得する（ステップＳ２２）。そして、スキャン制御部３１ａ，３１ｂは無線ＬＡＮ基地局２００と接続できるか否かを互いに報告する（ステップＳ２３）。無線ＬＡＮ基地局２００と接続できる場合（ステップＳ２４のＮＯ）、スキャン制御部３１ａ，３１ｂは定期的に無線ＬＡＮ基地局２００との通信状況を取得する。
【００５４】
無線ＬＡＮ基地局２００と接続できなくなったことをスキャン制御部３１ａ，３１ｂが共通して認識すると（ステップＳ２４のＹＥＳ）、両者の接続制御部３２ａ，３２ｂはネットワーク接続構成の変更に合意する（ステップＳ２５）。ネットワーク接続構成の変更とは、具体的には、無線通信装置１００ａの機能を端末から基地局に切り替え、端末装置１００ｂの接続先を無線ＬＡＮ基地局２００から無線通信装置１００ａに切り替えることである。
【００５５】
そして、無線通信装置１００ａの接続制御部３２ａは、無線通信装置１００ａの機能を端末から基地局に切り替える（ステップＳ２６）。
【００５６】
また、端末装置１００ｂの接続制御部３２ｂは、無線ＬＡＮ基地局２００との接続を切断する（ステップＳ２７）。続いて、接続制御部３２ｂは無線通信装置１００ａの接続制御部３２ａとの間で接続処理を行う（ステップＳ２８）。これにより、端末装置１００ｂの接続先は基地局として機能する無線通信装置１００ａとなる（ステップＳ２９）。
【００５７】
ここで、端末装置１００ｂは無線ＬＡＮ基地局２００との接続が失われて別の接続先基地局を探している状況である。この状況下で、無線通信装置１００ａの機能が端末から基地局に切り替わってビーコンを送信し始めれば、端末装置１００ｂは無線通信装置１００ａを基地局として発見する。そして、無線端末１００ｂは自ら無線通信装置１００ａを接続すべき基地局として選択して接続する。
【００５８】
なお、図５は図４の続きと考えることができる。よって、図５のステップＳ２８，Ｓ２９に続いて図４のステップＳ１が行われる。同様に、図４は図５の続きと考えることができる。よって、図４のステップＳ１０，Ｓ１１に続いて図５のステップＳ２１が行われる。
【００５９】
このように、本実施形態では、無線通信装置１００ａおよび端末装置１００ｂが個々に動作するのではなく協調動作するため、無線通信装置１００ａの機能および端末装置１００ｂの接続先を適切に切り替えることができる。すなわち、無線通信装置１００ａおよび端末装置１００ｂといった複数の無線通信装置が連携して機能および接続先を切り替えることができる。
【００６０】
なお、無線通信装置１００ａおよび端末装置１００ｂが接続可能な無線ＬＡＮ基地局は複数あってもよく、例えばネットワークプロバイダの基地局を含んでいてもよい。その場合、接続先の優先度を無線通信装置１００ａおよび端末装置１００ｂに予め設定しておけばよい。
【００６１】
接続可能な無線ＬＡＮ基地局が１つだけ見つかった場合は、図４および図５と同様に無線通信装置１００ａおよび端末装置１００ｂは動作すればよい。また、接続可能な無線ＬＡＮ基地局が２以上見つかった場合、無線通信装置１００ａおよび端末装置１００ｂは優先度が高い無線ＬＡＮ基地局を接続先とすればよい。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１００ａ  無線通信装置
１００ｂ  端末装置
３１ａ  ３１ｂ  スキャン制御部
３２ａ  ３２ｂ  接続制御部
２００  無線ＬＡＮ基地局
【図１】
2015177268.tif 000003
【図２】
2015177268.tif 000004
【図３】
2015177268.tif 000005
【図４】
2015177268.tif 000006
【図５】
2015177268.tif 000007